(57)【要約】【課題】下方フロートスイッチによる貯水タンクの洗浄水の水位の誤検出を確実に防止することができる水洗大便器を提供する。【解決手段】本発明の水洗大便器1は、便器本体2と、この便器本体を洗浄するための洗浄水を貯水する貯水タンク20と、この貯水タンク内の水を吸引して便器本体に供給する加圧ポンプ22と、貯水タンクと加圧ポンプを接続するポンプ給水路38と、貯水タンク内の上方に設けられ洗浄水の水位が第１水位(L1)を越えたときONとなる上方フロートスイッチ52と、貯水タンク内の下方に設けられ、支持軸54b及びこの支持軸に沿って上下動するフロート54cを備え、洗浄水の水位が第２水位(L2)より低下したときONとなる下方フロートスイッチ54と、加圧ポンプ駆動時に貯水タンク内に生じる下方フロートスイッチへ向けて上方から下方に流れる洗浄水の流れを抑制するする水流抑制手段56,58,60,62,64,66と、を有する。【選択図】図５
2010236202.tif 000002
【特許請求の範囲】
【請求項１】
便器本体と、
この便器本体を洗浄するための洗浄水を貯水する貯水タンクと、
この貯水タンク内の水を吸引して上記便器本体に供給する加圧ポンプと、
上記貯水タンクと上記加圧ポンプを接続するポンプ給水路と、
上記貯水タンク内の上方に設けられ洗浄水の水位が所定の第１水位（Ｌ１）を越えたときＯＮとなる上方フロートスイッチと、
上記貯水タンク内の下方に設けられ、支持軸及びこの支持軸に沿って上下動するフロートを備え、洗浄水の水位が所定の第２水位（Ｌ２）より低下したときＯＮとなる下方フロートスイッチと、
上記加圧ポンプ駆動時に上記貯水タンク内に生じる下方フロートスイッチへ向けて上方から下方に流れる洗浄水の流れを抑制する水流抑制手段と、
を有することを特徴とする水洗大便器。
【請求項２】
上記水流抑制手段は、上記下方フロートスイッチの近傍且つ真上にほぼ水平に取り付けられた平板状部材である請求項１に記載の水洗大便器。
【請求項３】
上記水流抑制手段は、上記下方フロートスイッチの支持軸の上端にほぼ水平方向に取り付けられた板状部材である請求項１に記載の水洗大便器。
【請求項４】
上記ポンプ給水路は上記貯水タンク内に配置された給水口を備え、上記下方フロートスイッチはポンプ給水路の給水口と離れて配置され、上記水流抑制手段は、給水口と下方フロートスイッチの間に形成され、下方フロートスイッチから給水口に向けて流れる流れの速度を貯水タンクの上方の領域よりも低下させる水流速度低下手段である請求項１に記載の水洗大便器。
【請求項５】
上記水流速度低下手段は、上記ポンプ給水路の給水口と上記下方フロートスイッチとの間で貯水タンクの下方部位に形成された流路幅狭部である請求項４に記載の水洗大便器。
【請求項６】
上記水流速度低下手段は、上記ポンプ給水路の給水口と上記下方フロートスイッチとの間に上方へ延び且つその側方に狭い流路を形成するように配置された遮蔽板である請求項４に記載の水洗大便器。
【請求項７】
上記下方フロートスイッチは、上記ポンプ給水路の給水口よりも上方に位置し、貯水タンクの底面が下方フロートスイッチからポンプ給水路の給水口に向けて下方に傾斜している請求項４乃至６の何れか１項に記載の水洗大便器。
【発明の詳細な説明】
【技術分野】
【０００１】
本発明は、水洗大便器に係り、特に、貯水タンク内の洗浄水を加圧ポンプにより吸引して便器を洗浄する水洗大便器に関する。
【背景技術】
【０００２】
近年、便器の高さを低くするために、貯水タンクを不要とし、水道水の給水圧を直接利用して、洗浄水を便器に直接供給するようにした、所謂、タンクレス便器が使用されている。
しかしながら、このようなタンクレス便器は、水道水の給水圧が低い地域では、洗浄不良を起す恐れがあるので、このような問題を解決するため、例えば、特許文献１に記載されたような、貯水タンクを設け、この貯水タンク内の洗浄水を加圧ポンプにより吸引して便器に供給するようにした新しいタイプの水洗大便器が提案されている。
【０００３】
この特許文献１の水洗大便器には、貯水タンク内の水位が満水になったときＯＮとなり貯水タンク内への給水を停止するための上方フロートスイッチと、貯水タンク内の洗浄水が加圧ポンプにより吸引された水位が低下してＯＮとなり加圧ポンプを停止するための下方フロートスイッチとが設けられている。
【先行技術文献】
【特許文献】
【０００４】
【特許文献１】特開2009-2075号公報
【発明の概要】
【発明が解決しようとする課題】
【０００５】
上述した従来の特許文献１に記載された水洗大便器においては、貯水タンクの容量を極力小さくして意匠性を向上させるために、下方フロートスイッチが、貯水タンク内に配置された加圧ポンプの給水口より若干高い位置に近接して設けられている。このため、加圧ポンプで貯水タンクの洗浄水を吸引して便器へ供給するとき、貯水タンク内の洗浄水が上方から給水口へ向って流れ、その水流により、下方フロートスイッチが押し下げられて、誤検知をして、加圧ポンプが停止してしまうという問題が発生することがある。
加圧ポンプが停止してしまうと、洗浄水の便器への供給も行えなくなるので、この下方フロートスイッチの誤検知を確実に防止する必要がある。
【０００６】
本発明は、上述した従来技術の問題点を解決するためになされたものであり、下方フロートスイッチによる貯水タンクの洗浄水の水位の誤検出を確実に防止することができる水洗大便器を提供することを目的としている。
【課題を解決するための手段】
【０００７】
上記の目的を達成するために、本発明の水洗大便器は、便器本体と、この便器本体を洗浄するための洗浄水を貯水する貯水タンクと、この貯水タンク内の水を吸引して上記便器本体に供給する加圧ポンプと、貯水タンクと上記加圧ポンプを接続するポンプ給水路と、貯水タンク内の上方に設けられ洗浄水の水位が所定の第１水位（Ｌ１）を越えたときＯＮとなる上方フロートスイッチと、貯水タンク内の下方に設けられ、支持軸及びこの支持軸に沿って上下動するフロートを備え、洗浄水の水位が所定の第２水位（Ｌ２）より低下したときＯＮとなる下方フロートスイッチと、加圧ポンプ駆動時に貯水タンク内に生じる下方フロートスイッチへ向けて上方から下方に流れる洗浄水の流れを抑制する水流抑制手段と、を有することを特徴としている。
このように構成された本発明においては、加圧ポンプが駆動され貯水タンク内の洗浄水を吸引して便器本体へ供給するとき、加圧ポンプの吸引力により、貯水タンク内の洗浄水の水流は、上方から下方に向けて流れるが、水流抑制手段により、下方フロートスイッチへ向けて上方から下方に流れる洗浄水の流れは抑制される。この結果、本発明によれば、下方フロートスイッチへ向けて上方から下方に流れる洗浄水の流れがフロートの浮力に打ち勝ってフロートを押し下げることにより生じる下方フロートスイッチの水位の誤検知を確実に防止することができる。
【０００８】
本発明において、好ましくは、水流抑制手段は、下方フロートスイッチの近傍且つ真上にほぼ水平に取り付けられた平板状部材である。
このように構成された本発明においては、水流抑制手段を下方フロートスイッチの近傍且つ真上にほぼ水平に取り付けられた平板状部材とすることにより、簡易な構造により、下方フロートスイッチへ向けて上方から下方に流れる洗浄水の流れがフロートの浮力に打ち勝ってフロートを押し下げることにより生じる下方フロートスイッチの水位の誤検知を確実に防止することができる。
【０００９】
本発明において、好ましくは、水流抑制手段は、下方フロートスイッチの支持軸の上端にほぼ水平方向に取り付けられた板状部材である。
このように構成された本発明においては、水流抑制手段を下方フロートスイッチの支持軸の上端にほぼ水平方向に取り付けられた板状部材とすることにより、簡易な構造により、下方フロートスイッチへ向けて上方から下方に流れる洗浄水の流れがフロートの浮力に打ち勝ってフロートを押し下げることにより生じる下方フロートスイッチの水位の誤検知を確実に防止することができる。
【００１０】
本発明において、好ましくは、ポンプ給水路は上記貯水タンク内に配置された給水口を備え、下方フロートスイッチはポンプ給水路の給水口と離れて配置され、水流抑制手段は、給水口と下方フロートスイッチの間に形成され、下方フロートスイッチから給水口に向けて流れる流れの速度を貯水タンクの上方の領域よりも低下させる水流速度低下手段である。
このように構成された本発明においては、水流速度低下手段により、下方フロートスイッチから給水口に向けて流れる流れの速度が貯水タンクの上方の領域よりも遅くなるので、これにより、下方フロートスイッチの上方の洗浄水の流れが給水口に向う斜め方向の流れとなり、その結果、下方フロートに作用する水流がフロートの浮力に打ち勝ってフロートを押し下げることにより生じる下方フロートスイッチの水位の誤検知を確実に防止することができる。
【００１１】
本発明において、好ましくは、水流速度低下手段は、ポンプ給水路の給水口と下方フロートスイッチとの間で貯水タンクの下方部位に形成された流路幅狭部である。
このように構成された本発明においては、ポンプ給水路の給水口と下方フロートスイッチとの間で貯水タンクの下方部位に流路幅狭部を形成したので、下方フロートスイッチから給水口に向けて流れる流れの速度が遅くなり、これにより、下方フロートスイッチの上方の洗浄水の流れが給水口に向う斜め方向の流れとなり、その結果、下方フロートスイッチに作用する水流がフロートの浮力に打ち勝ってフロートを押し下げることにより生じる下方フロートスイッチの水位の誤検知を確実に防止することができる。
【００１２】
本発明において、好ましくは、水流速度低下手段は、ポンプ給水路の給水口と下方フロートスイッチとの間に上方へ延び且つその側方に狭い流路を形成するように配置された遮蔽板である。
このように構成された本発明においては、ポンプ給水路の給水口と下方フロートスイッチとの間に上方へ延び且つその側方に狭い流路を形成する遮蔽板を配置したので、下方フロートスイッチから給水口に向けて流れる流れの速度が遮蔽板の狭い流路で遅くなり、これにより、下方フロートスイッチの上方の洗浄水の流れが給水口に向う斜め方向の流れとなり、その結果、下方フロートに作用する水流がフロートの浮力に打ち勝ってフロートを押し下げることにより生じる下方フロートスイッチの水位の誤検知を確実に防止することができる。
【００１３】
本発明において、好ましくは、下方フロートスイッチは、ポンプ給水路の給水口よりも上方に位置し、貯水タンクの底面が下方フロートスイッチからポンプ給水路の給水口に向けて下方に傾斜している。
このように構成された本発明においては、水流速度低下手段により、下方フロートスイッチから給水口に向けて流れる流れの速度が遅くなるが、貯水タンクの底面を下方フロートスイッチからポンプ給水路の給水口に向けて下方に傾斜させることにより、流れの速度が遅くても、洗浄水を給水口にスムーズに流入させることができる。
【発明の効果】
【００１４】
本発明の水洗大便器によれば、下方フロートスイッチによる貯水タンクの洗浄水の水位の誤検出を確実に防止することができる。
【図面の簡単な説明】
【００１５】
【図１】本発明の第１実施形態による水洗大便器を示す側面図である。
【図２】図１の水洗大便器の平面図である。
【図３】本発明の第１実施形態による水洗大便器を示す全体構成図である。
【図４】本発明の第１実施形態による水洗大便器の基本動作を示すタイムチャートである。
【図５】本発明の第１実施形態による水洗大便器の貯水タンクを示す拡大断面図である。
【図６】図５のＶＩ−ＶＩ線に沿って見た平面図である。
【図７】本発明の第２実施形態による水洗大便器の下方フロートスイッチと水流遮蔽板を示す正面図である。
【図８】本発明の第３実施形態による水洗大便器の貯水タンクを示す断面斜視図である。
【図９】図８のＩＸ−ＩＸ線に沿う断面図である。
【図１０】図８の正面図である。
【図１１】本発明の第４実施形態による水洗大便器の貯水タンクを示す正面断面図である。
【図１２】図１１の平面断面図である。
【発明を実施するための最良の形態】
【００１６】
以下、添付図面を参照して、本発明の実施形態による水洗大便器を説明する。
先ず、図１乃至図４により、本発明の第１実施形態による水洗大便器の基本構造を説明する。図１は、本発明の第１実施形態による水洗大便器を示す側面図であり、図２は、図１の水洗大便器の平面図であり、図３は、本発明の第１実施形態による水洗大便器を示す全体構成図であり、図４は、本発明の第１実施形態による水洗大便器の基本動作を示すタイムチャートである。
【００１７】
図１及び図２に示すように、本発明の実施形態による水洗大便器１は、便器本体２と、この便器本体２の上面に配置された便座４と、便座４を覆うように配置されたカバー６と、便器本体２の後方上部に配置された局部洗浄装置８と、を備えている。さらに、便器本体２の後方には、機能部１０が配置されており、この機能部１０はサイドパネル１１により覆われている。
【００１８】
便器本体２には、汚物を受けるボウル部１２と、このボウル部１２の底部から延びる排水トラップ管路１４と、排水トラップ管路１４の下端に接続された配水管１５と、ジェット吐水を行うジェット吐水口１６と、リム吐水を行うリム吐水口１８が形成されている。
ジェット吐水口１６は、ボウル部１２の底部に形成されており、排水トラップ管路１４の入口に指向してほぼ水平に配置され、洗浄水を排水トラップ管路１４に向けて吐水するようになっている。リム吐水口１８は、ボウル部１２の左側上部後方に形成されており、ボウル部１２の上縁に沿って洗浄水を吐出するようになっている。
【００１９】
本実施形態による水洗大便器１は、洗浄水を供給する水道に直結されており、水道の給水圧力によりリム吐水口１８から洗浄水が吐出される。また、ジェット吐水に関しては、後述するように、機能部１０に内蔵された貯水タンク２０に貯水された洗浄水を加圧ポンプ２２により吸引して大流量でジェット吐水口１６から吐出させるようになっている。
【００２０】
次に、図３により、本実施形態による水洗大便器１の機能部１０を説明する。図３に示すように、機能部１０には、水道から洗浄水が供給される給水路２４が設けられ、この給水路２４には、主な機器として、定流量弁２６、ダイヤフラム式の電磁開閉弁２８、給水路切替弁３０がそれぞれ設けられている。
給水路切替弁３０の下流側には、リム吐水口１８に洗浄水を供給するためのリム側給水路３２、及び、貯水タンク２０に洗浄水を供給するためのタンク側給水路３４が接続されている。
【００２１】
ここで、定流量弁２６を通過した洗浄水は、電磁開閉弁２８を通って、給水路切替弁３０により、リム側であるリム給水路３２からリム吐水口１８へ、又は、タンク側であるタンク側給水路３４から貯水タンク２０に供給されるようになっている。
これらの電磁開閉弁２８の開閉操作、及び、給水路切替弁３０の切替操作は、機能部１０のコントローラ３６により制御される。
【００２２】
貯水タンク２０と加圧ポンプ２２との間にはそれらを接続するポンプ給水路３８が設けられており、このポンプ給水路３８の上流端には給水口４０が形成されている。また、加圧ポンプ２２とジェット吐水口１６との間にはそれらを接続するジェット給水路４２が設けられている。ここで、加圧ポンプ２２は、貯水タンク２０に貯水された洗浄水を吸引して、ジェット吐水口１６から吐出させるためのものである。加圧ポンプ２２の回転数や作動時間等は、機能部１０に設けられたコントローラ３６により制御される。
また、ポンプ給水路３８の貯水タンク２０内に位置する部分には、逆止弁であるジェット吐水用フラッパー弁４４及び水抜栓４６が設けられている。
【００２３】
さらに、貯水タンク２０の後述する上方フロートスイッチ５２よりも上方位置に、その一端が開口し、他端がジェット給水路４２に接続されたオーバーフロー流路４８が設けられている。このオーバーフロー流路４８には、逆止弁であるフラッパー弁５０が取り付けられている。
【００２４】
次に、貯水タンク２０の内部には、上方フロートスイッチ５２、及び、下方フロートスイッチ５４が配置されている。上方フロートスイッチ５２は、貯水タンク２０内の水位が所定の上方位置Ｌ１に達するとオン（ＯＮ）に切り替わり、コントローラ３６はこれを検知して、電磁開閉弁２８を閉鎖させる。下方フロートスイッチ５４は、貯水タンク２０内の水位が所定の下方水位Ｌ２まで低下するとオン（ＯＮ）に切り替わり、コントローラ３６はこれを検知して、加圧ポンプ２２を停止させる。
【００２５】
次に、図４により、本実施形態による水洗大便器の基本動作を説明する。なお、このタイムチャートでは、リム吐水の動作を省略している。ここで、本実施形態においては、満水時の水位が、ウォーターフローラインＷＦＬ（図３参照）となっている。
【００２６】
先ず、図４に示すように、満水状態において、ｔ１で示す時刻で加圧ポンプ２２が作動し、ジェット吐水が開始される。このとき、貯水タンク２０内の水位がウォーターフローラインＷＦＬを下回る。次に、加圧ポンプ２２が作動中でジェット吐水が行われているとき（時刻ｔ２）、貯水タンク２０内の水位が上方フロートスイッチ５２を下回り、上方フロートスイッチ５２がＯＮからＯＦＦとなる。
【００２７】
次に、ｔ３で示す時刻において、下方フロートスイッチ５４がＯＦＦからＯＮになると、加圧ポンプ２２が停止するとともにジェット吐水が終了する。なお、加圧ポンプ２２の流量は７０Ｌ／ｍｉｎと多い。従って、便器に供給する水量を一定に保つには時間制御では難しく、下方フロートスイッチ５４による検知により、加圧ポンプ２２を停止させるようにしている。ここで、貯水タンク２０内の水位は、加圧ポンプ２２の作動慣性量により下方フロートスイッチ５４よりも下方の位置であるウォーターデッドラインＷＤＬとなる。
【００２８】
その後、ｔ４で示す時刻において、電磁開閉弁２８が作動（ＯＦＦ→ＯＮ）して、貯水タンク２０への給水が開始される。このとき、貯水タンク２０内の水位は、ウォーターデッドラインＷＤＬである。そして、電磁開閉弁２８が作動して所定時間後のｔ５の時刻に、下方フロートスイッチ５４がＯＮからＯＦＦとなる。
【００２９】
その後、貯水タンク２０内の水位が上方フロートスイッチ５２の位置まで上昇すると、上方フロートスイッチ５２がＯＮとなり、電磁開閉弁２８が停止する。その後、ｔ７の時刻において、水位が満水状態であるウォーターフローラインＷＦＬとなり、一連の洗浄動作が終了する。
【００３０】
次に、図５及び図６により、本実施形態の貯水タンク２０の内部構造を説明する。図５は、本発明の第１実施形態による水洗大便器の貯水タンクを示す拡大断面図であり、図６は、図５のＶＩ−ＶＩ線に沿って見た平面図である。
先ず、図６に示すように、ポンプ給水路３８の上流側は、貯水タンク２０内に延びており、このポンプ給水路３８の給水口４０、ジェット吐水用フラッパー弁４４及び水抜栓４６は、貯水タンク２０の下端部付近の高さ、即ち、下方フロートスイッチ５４よりも下方の位置に、配置されている。
【００３１】
次に、下方フロートスイッチ５４の構造を説明する。下方フロートスイッチ５４は、貯水タンク２０の底面に取り付けられるベース部５４ａと、このベース部５４ａから上方に延びる支持軸５４ｂと、この支持軸５４ｂに挿入されて浮力により支持軸５４ｂに沿って上下動するフロート５４ｃと、支持軸５４ｂの上端に取り付けられたストッパー５４ｄと、フロート５４ｃの内周面に埋め込まれたマグネット５４ｅと、支持軸５４ｂに埋め込まれたリードスイッチ５４ｆとを備えている。
【００３２】
この下方フロートスイッチ５４は、貯水タンク２０に洗浄水が満たされている状態では、フロート５４ｃの上端がＨ１の位置（最高位）にあり、加圧ポンプを駆動させて貯水タンク２０内の洗浄水を便器本体２へ供給して水位が低下したときには、フロート５４ｃの上端は、図５に示すＨ２の位置（最低位）まで下がり、マグネット５４ｅがリードスイッチ５４ｆをＯＮさせ、それにより、コントローラ３６が加圧ポンプ２２の駆動が停止させ、洗浄水の便器本体１への供給が停止するようになっている。
【００３３】
次に、図５及び図６に示すように、下方フロートスイッチ５４の近傍で且つ真上には、貯水タンク２０内に位置するポンプ給水路３８の外周部に、平板状部材である水流遮蔽板５６がほぼ水平な状態で取り付けられている。なお、この水流遮蔽板５６は、ポンプ給水路３８に取り付けられているが、これ以外に、貯水タンク２０の内壁に取り付けるようにしても良い。
【００３４】
次に、本発明の第１実施形態による作用（動作）を説明する。本実施形態による水洗大便器における基本動作は上述した通りであるので、ここでは、加圧ポンプを駆動させて、貯水タンク内の洗浄水を便器本体へ供給する際の動作を説明する。
先ず、加圧ポンプ２２により、貯水タンク２０内の満水状態の洗浄水を吸引して、便器本体１のジェット吐水口１６への給水を開始するときには、ポンプ給水路３８の給水口４０の上方の水域は洗浄水が強く引き込まれて水位が低下するが、下方フロートスイッチ５４の近傍の真上には、水流遮蔽板５６が設けられているため、水流は、直接、下方フロートスイッチ５４には作用せず、そのため、フロート５４ｃの浮力に打ち勝つような流れは形成し難くなっている。即ち、水流遮蔽板５６により、下方フロートスイッチ５４へ向けて上方から下方に流れる洗浄水の流れは抑制（低減）される。この結果、本実施形態によれば、下方フロートスイッチ５４へ向けて上方から下方に流れる洗浄水の流れがフロート５４ｃの浮力に打ち勝ってフロート５４ｃを押し下げることにより生じる下方フロートスイッチ５４の水位の誤検知を確実に防止することができる。
【００３５】
次に、図７により、本発明の第２実施形態による水洗大便器を説明する。図７は、本発明の第２実施形態による水洗大便器の下方フロートスイッチと水流遮蔽板を示す正面図である。なお、第２実施形態においては、第１実施形態と同一部分には同一符号を付し、それらの説明は省略する。
図７に示すように、第２実施形態による水洗大便器においては、第１実施形態におけるポンプ給水路３８に取り付けられた水流遮蔽板５６の代わりに、板状部材である水流遮蔽板５８を、下方フロートスイッチ５４の支持軸５４ｂの上端にほぼ水平方向に取り付けている。
【００３６】
この第２実施形態によれば、水流遮蔽板５８を下方フロートスイッチ５４の支持軸５４ｂの上端に取り付けたので、フロート５４ｃのストッパーの役割を兼ねている。また、水流遮蔽板５８を下方フロートスイッチ５４に取り付けたので、貯水タンク２０への取り付けが容易となる。
【００３７】
さらに、第２実施形態においても、加圧ポンプ２２により、貯水タンク２０内の満水状態の洗浄水を吸引して、便器本体１のジェット吐水口１６への給水を開始するときには、ポンプ給水路３８の給水口４０の上方の水域は洗浄水が強く引き込まれて水位が低下するが、下方フロートスイッチ５４の支持軸５４ｂの上端にほぼ水平方向に水流遮蔽板５８が取り付けられているため、水流は、直接、下方フロートスイッチ５４には作用せず、そのため、フロート５４ｃの浮力に打ち勝つような流れは形成し難くなっている。即ち、水流遮蔽板５８により、下方フロートスイッチ５４へ向けて上方から下方に流れる洗浄水の流れは抑制（低減）される。この結果、本実施形態によれば、下方フロートスイッチ５４へ向けて上方から下方に流れる洗浄水の流れがフロート５４ｃの浮力に打ち勝ってフロート５４ｃを押し下げることにより生じる下方フロートスイッチ５４の水位の誤検知を確実に防止することができる。
【００３８】
次に、図８乃至図１０により、本発明の第３実施形態を説明する。図８は本発明の第３実施形態による水洗大便器の貯水タンクを示す断面斜視図であり、図９は図８のＩＸ−ＩＸ線に沿う断面図であり、図１０は図８の正面図である。なお、第３実施形態においても、第１実施形態と同一部分には同一符号を付し、それらの説明は省略する。
【００３９】
図８乃至図１０に示すように、貯水タンク２０は、前面壁２０ａ、後面壁２０ｂ、側面壁２０ｃ、底面壁２０ｄを備えている。後面壁２０ｂの長手方向中央で下方側には、貯水タンク２０の平面断面形状をコ字形状（凹形状）とするための直方体形状の突出部６０が形成され、これにより、貯水タンク２０が平面視で、両側部の幅Ｗ１に対して、流路幅Ｗ２が狭くなるような流路幅狭部（水流速度低下手段）６２を形成している。また、下方フロートスイッチ５４は、ポンプ給水路３８の給水口４０から離れて配置され、下方フロートスイッチ５４とポンプ給水路３８の給水口４０との間に流路幅狭部（水流速度低下手段）６２が形成されるようになっている。さらに、貯水タンク２０の底面壁２０ｄを下方フロートスイッチ５４からポンプ給水路３８の給水口４０に向けて下方に傾斜させている。
【００４０】
第３実施形態による水洗大便器においても、加圧ポンプ２２により、貯水タンク２０内の満水状態の洗浄水を吸引して、便器本体１のジェット吐水口１６への給水を開始するときには、先ず、矢印Ａ１として示すように、給水口４０から離れた水域の水流が下方斜め方向に流れ、次に、ポンプ給水路３８の給水口４０の上方から、洗浄水が強く引き込まれて水位が低下するが、下方フロースイッチ５４の近傍の水流は、矢印Ａ２として示すように、給水口４０に向う斜め方向の流れとなり、流路幅狭部６２において貯水タンク２０の上方の領域に比べて速度が遅くなる。
【００４１】
このように、本実施形態の水洗大便器においては、ポンプ給水路３８の給水口４０と下方フロートスイッチ５４との間で貯水タンク２０の下方部位に流路幅狭部６２を形成したので、下方フロートスイッチ５４から給水口４０に向けて流れる流れの速度が貯水タンク２０の上方の領域に比べて遅くなり、これにより、下方フロートスイッチ５４の上方の洗浄水の流れが給水口４０に向う斜め方向の流れとなり、その結果、下方フロートスイッチ５４に作用する水流がフロート５４ｃの浮力に打ち勝ってフロート５４ｃを押し下げることにより生じる下方フロートスイッチ５４の水位の誤検知を確実に防止することができる。
【００４２】
さらに、本実施形態においては、水路幅狭部６２により、下方フロートスイッチ５４から給水口４０に向けて流れる流れの速度が遅くなるが、貯水タンク２０の底面壁２０ｄを下方フロートスイッチ５４からポンプ給水路３８の給水口４０に向けて下方に傾斜させることにより、流れの速度が遅くても、洗浄水を給水口４０にスムーズに流入させることができる。また、底壁面２０ｄを傾斜させ洗浄水を給水口４０にスムーズに流入できることで、貯水タンク２０内の水位を一様に降下させることが可能となり、加圧ポンプ２２のエア噛みの不具合を解消できる。これは、底壁面２０ｄが平坦であると、給水口４０側の水が下方フロートスイッチ５４側に比べて給水し易くなり、給水口４０側の水位が下がりやすい傾向となり、そのため、下フロートスイッチ５４がＯＮにならない状態で、給水口４０付近の水が少なくなり加圧ポンプ２２が空気を吸い込んでしまうというエア噛みの不具合が発生するからである。
【００４３】
次に、図１１及び図１２により、本発明の第４実施形態を説明する。図１１は本発明の第４実施形態による水洗大便器の貯水タンクを示す正面断面図であり、図１２は図１１の平面断面図である。なお、第４実施形態においては、第３実施形態と同一部分には同一符号を付し、それらの説明は省略する。
【００４４】
図１１及び図１２に示すように、第４実施形態においても、貯水タンク２０は、第３実施形態と同様に、前面壁２０ａ、後面壁２０ｂ、側面壁２０ｃ、底面壁２０ｄを備えている。また、下方フロートスイッチ５４は、ポンプ給水路３８の給水口４０から離れて配置され、さらに、貯水タンク２０の底面壁２０ｄを下方フロートスイッチ５４からポンプ給水路３８の給水口４０に向けて下方に傾斜させている。さらに、貯水タンク２０の底面壁２０ｄの長手方向中央には、上方に延びる遮蔽板（水流速度低下手段）６４が設けられている。この遮蔽板６４の側方である前面壁２０ａと後面壁２０ｂと間には、それぞれ、狭い幅Ｗ３の流路６６が形成されている。
【００４５】
第４実施形態による水洗大便器においても、加圧ポンプ２２により、貯水タンク２０内の満水状態の洗浄水を吸引して、便器本体１のジェット吐水口１６への給水を開始するときには、先ず、矢印Ｂ１として示すように、給水口４０から離れた水域の水流が下方斜め方向に流れ、次に、ポンプ給水路３８の給水口４０の上方から、洗浄水が強く引き込まれて水位が低下するが、下方フロースイッチ５４の近傍の水流は、矢印Ｂ２として示すように、給水口４０に向う斜め方向の流れとなり、遮蔽板６４により形成された流路６６において速度が遅くなる。
【００４６】
このように、本実施形態の水洗大便器においては、ポンプ給水路３８の給水口４０と下方フロートスイッチ５４との間の底面壁２０ｄに上方へ延びる遮蔽板６４を設けて狭い流路６６を形成したので、その狭い流路６６で、下方フロートスイッチ５４から給水口４０に向けて流れる流れの速度が遅くなり、これにより、下方フロートスイッチ５４の上方の洗浄水の流れが給水口４０に向う斜め方向の流れとなり、その結果、下方フロートスイッチ５４に作用する水流がフロート５４ｃの浮力に打ち勝ってフロート５４ｃを押し下げることにより生じる下方フロートスイッチ５４の水位の誤検知を確実に防止することができる。
【００４７】
さらに、第４実施形態においても、遮蔽板６４により、下方フロートスイッチ５４から給水口４０に向けて流れる流れの速度が遅くなるが、貯水タンク２０の底面壁２０ｄを下方フロートスイッチ５４からポンプ給水路３８の給水口４０に向けて下方に傾斜させることにより、流れの速度が遅くても、洗浄水を給水口４０にスムーズに流入させることができる。
【符号の説明】
【００４８】
１  水洗大便器
２  便座本体
２０  貯水タンク
２２  加圧ポンプ
３６  コントローラ
３８  ポンプ給水路
４０  給水口
４２  ジェット給水路
５２  上方フロートスイッチ
５４  下方フロートスイッチ
５４ｂ  支持軸
５４ｃ  フロート
５６，５８  水流遮蔽板
６０  突出部
６２  流路幅狭部
６４  遮蔽板
６６  流路
【図１】
2010236202.tif 000003
【図２】
2010236202.tif 000004
【図３】
2010236202.tif 000005
【図４】
2010236202.tif 000006
【図５】
2010236202.tif 000007
【図６】
2010236202.tif 000008
【図７】
2010236202.tif 000009
【図８】
2010236202.tif 000010
【図９】
2010236202.tif 000011
【図１０】
2010236202.tif 000012
【図１１】
2010236202.tif 000013
【図１２】
2010236202.tif 000014